(57)【特許請求の範囲】
【請求項１】
椅子の背凭れ本体に対して装着可能な背凭れ用カバー部材であって、
前記背凭れ本体の前面に沿って装着されるベース部材と、
前記ベース部材を被覆する表皮材と、を備え、
前記ベース部材は、
前記背凭れ本体の上縁部及び下縁部の各々に沿う上辺部及び下辺部を有して前記背凭れ本体に支持される周枠部と、
前記周枠部の内方に形成され、前記周枠部の上辺部から下方に向かって延出した板状で、下端部が、前記周枠部の下辺部よりも上方で、かつ前記背凭れ本体の上下方向の中間部よりも下方に位置する舌片部と、を一体に備え、
前記舌片部の前記下端部と、前記周枠部の前記下辺部とを連結する連結部をさらに備えていることを特徴とする背凭れ用カバー部材。
【請求項２】
前記中間部よりも下方に前方に向かって膨出した膨出部を有する前記背凭れ本体に装着可能であり、
前記舌片部は、前記下端部が、前記膨出部と同じ高さまたは前記膨出部よりも下方に位置していることを特徴とする請求項１に記載の背凭れ用カバー部材。
【請求項３】
前記舌片部は、前記周枠部の前記上辺部の幅方向両側端部から下方に向かって延出していることを特徴とする請求項１又は２に記載の背凭れ用カバー部材。
【請求項４】
前記舌片部は、前記周枠部の前記上辺部側の基端部と前記下端部との間に、前記基端部よりも幅方向寸法が小さい狭幅部を有するととともに、前記狭幅部の下方で前記狭幅部よりも幅方向寸法が大きい広幅部を有することを特徴とする請求項１から３のいずれか一項に記載の背凭れ用カバー部材。
【請求項５】
前記舌片部は、前記周枠部の前記上辺部よりも板厚が小さいことを特徴とする請求項１から４のいずれか一項に記載の背凭れ用カバー部材。
【請求項６】
前記舌片部は、前記周枠部の前記上辺部と前記下端部との間に、幅方向に延びるスリットを有していることを特徴とする請求項１から５のいずれか一項に記載の背凭れ用カバー部材。
【請求項７】
請求項１から６のいずれか一項に記載の背凭れ用カバー部材が背凭れ本体に装着されていることを特徴とする背凭れ。
【請求項８】
脚部と、前記脚部上に支持された座部と、前記座部の後方に設けられた背凭れ本体と、を備え、
前記背凭れ本体に、請求項１から６のいずれか一項に記載の背凭れ用カバー部材が装着されていることを特徴とする椅子。
【発明の詳細な説明】
【技術分野】
【０００１】
本発明は、背凭れ用カバー部材、背凭れ及び椅子に関する。
【背景技術】
【０００２】
一般的に、椅子は、脚部と、脚部に支持された座部と、座部の後方に設けられた背凭れ部とを備えている。このような椅子において、利用者の快適性を向上させるために、背凭れ部にクッション性を有したカバー部材を備える場合がある。
【０００３】
例えば、特許文献１，２には、背凭れ本体と、背凭れ本体の前面を覆うカバー部材を備えた背凭れ部が開示されている。こうしたカバー部材は、背凭れ本体に取り付けるためのフレーム材と、フレーム材の前面に張設された張材と、を備える。カバー部材は、フレーム材を背凭れ本体に積層して固定することで設けられる。
【０００４】
特許文献１におけるフレーム材（補強枠）は、背凭れ本体の周縁部に沿う枠状に形成されている。
また、特許文献２におけるフレーム材（背パッド）は、板状をなし、背凭れ本体の前面に沿うよう設けられている。
【先行技術文献】
【特許文献】
【０００５】
【特許文献１】特許第５３８４８０７号公報
【特許文献２】特開２０１４−９０９８８号公報
【発明の概要】
【発明が解決しようとする課題】
【０００６】
しかしながら、特許文献１に開示された構成においては、フレーム材が枠状をなしているため、フレーム材の内周縁部と、その内側の開口との間で段差が生じる。この段差は、利用者が椅子に着座して背凭れ部にもたれ掛かったときに、違和感を感じさせる原因となる。
【０００７】
また、特許文献２に開示された構成においては、フレーム材が板状をなしているため、上記のような問題は生じない。その一方で、フレーム材は、背凭れ本体の前面に沿う形状に予め成形されている。フレーム材を、背凭れ本体の前面の形状に沿う形状に予め成形するには、フレーム材を高精度に形成する必要があり、製造コストが増大する。
【０００８】
そこでなされた本発明の目的は、低コストでありながら、着座時の違和感を低減することのできる背凭れ用カバー部材、背凭れ及び椅子を提供することである。
【課題を解決するための手段】
【０００９】
本発明は、上記課題を解決するため、以下の手段を採用する。
この発明に係る背凭れ用カバー部材は、椅子の背凭れ本体に対して装着可能な背凭れ用カバー部材であって、前記背凭れ本体の前面に沿って装着されるベース部材と、前記ベース部材を被覆する表皮材と、を備え、前記ベース部材は、前記背凭れ本体の上縁部及び下縁部の各々に沿う上辺部及び下辺部を有して前記背凭れ本体に支持される周枠部と、前記周枠部の内方に形成され、前記周枠部の上辺部から下方に向かって延出した板状で、下端部が、前記周枠部の下辺部よりも上方で、かつ前記背凭れ本体の上下方向の中間部よりも下方に位置する舌片部と、を一体に備え、前記舌片部の前記下端部と、前記周枠部の前記下辺部とを連結する連結部をさらに備えていることを特徴とする。
【００１０】
このように、ベース部材に、周枠部の上辺部から下方に向かって延出する舌片部を備えることで、背凭れ用カバー部材を装着した椅子に利用者が着座したときに、舌片部が利用者の背中に沿う。このとき、利用者が背凭れに強く寄りかかったとしても、背凭れは、その上部を中心に利用者の背中に沿う。これに対し、舌片部の下端部は、背凭れ本体の中間部よりも下方に位置するので、利用者は、舌片部の下端部による段差を感じにくい。
また、利用者が背凭れに寄りかかれば、舌片部が周枠部の上辺部側の基端部を中心として下端部側が弾性変形して背凭れ本体に沿うので、背凭れ用カバー部材を、背凭れ本体の前面に沿うように高精度に形成する必要もない。
また、舌片部の背凭れ本体への接触は、周枠部の支持状態に影響され難いので、舌片部が周枠部に引っ張られて背凭れ本体の前面から浮き上がるという事象も発生し難い。
また、舌片部の下端部と周枠部の下辺部とを連結する連結部をさらに備えるので、舌片部が周枠部に対して前方に浮き上がるのを抑え、舌片部の外周縁部の段差を小さくすることができる。
【００１１】
また、この発明に係る背凭れ用カバー部材において、前記中間部よりも下方に前方に向かって膨出した膨出部を有する前記背凭れ本体に装着可能であり、前記舌片部は、前記下端部が、前記膨出部と同じ高さまたは前記膨出部よりも下方に位置しているようにしてもよい。
このように、舌片部の下端部を、背凭れ本体の膨出部と同じ高さまたはそれよりも下方に配置することで、利用者は、舌片部の下端部による段差を、より確実に感じにくくなる。
【００１３】
また、この発明に係る背凭れ用カバー部材において、前記舌片部は、前記周枠部の前記上辺部の幅方向両側端部から下方に向かって延出しているようにしてもよい。
このように構成することで、舌片部において、周枠部の上辺部に連結された基端部の幅が大きくなる。これにより、利用者が寄りかかったときに、舌片部の基端部側において、舌片部の両側端部の段差を感じにくくなる。
【００１４】
また、この発明に係る背凭れ用カバー部材において、前記舌片部は、前記周枠部の前記上辺部側の基端部と前記下端部との間に、前記基端部よりも幅方向寸法が小さい狭幅部を有するととともに、前記狭幅部の下方で前記狭幅部よりも幅方向寸法が大きい広幅部を有するようにしてもよい。
このように構成することで、利用者が寄りかかったときに、舌片部は、この狭幅部の部分で変形しやすくなる。したがって、舌片部が利用者の背中に沿って変形しやすくなる。
【００１５】
また、この発明に係る背凭れ用カバー部材において、前記舌片部は、前記周枠部の前記上辺部よりも板厚が小さいようにしてもよい。
このように構成することで、舌片部は、周枠部に対して柔軟になり、舌片部が利用者の背中に沿って変形しやすくなる。
【００１６】
また、この発明に係る背凭れ用カバー部材において、前記舌片部は、前記周枠部の前記上辺部と前記下端部との間に、幅方向に延びるスリットを有しているようにしてもよい。
このように構成することで、舌片部は、このスリットの部分で変形しやすくなる。したがって、舌片部が利用者の背中に沿って変形しやすくなる。
【００１７】
また、この発明に係る背凭れは、上記したような背凭れ用カバー部材が背凭れ本体に装着されていることを特徴とする。
また、この発明に係る椅子は、脚部と、前記脚部上に支持された座部と、前記座部の後方に設けられた背凭れ本体と、を備え、前記背凭れ本体に、上記したような背凭れ用カバー部材が装着されていることを特徴とする。
【００１８】
このような背凭れ及び椅子は、利用者が、背凭れ用カバー部材を装着した椅子に着座したときに、舌片部が利用者の背中に沿って変形し、利用者は、舌片部による段差を感じにくい。
また、利用者が背凭れに寄りかかれば、舌片部が弾性変形して背凭れ本体に沿うので、背凭れ用カバー部材を、背凭れ本体の前面に沿うように高精度に形成する必要もない。
【発明の効果】
【００１９】
この発明に係る背凭れ用カバー部材、背凭れ及び椅子によれば、舌片部による段差を感じにくくなるので、着座時の違和感を低減することが可能となる。また、背凭れ部材を、背凭れ本体の前面に沿うように高精度に形成する必要がなく、低コストで製作することが可能となる。
【図面の簡単な説明】
【００２０】
【図１】この発明の一実施形態に係る背凭れ用カバー部材、背凭れ及び椅子の正面図である。
【図２】上記椅子の側面図である。
【図３】上記椅子の背凭れの一部を分解した状態における正面図である。
【図４】背凭れにおける図７のＳ−Ｓ断面図である。
【図５】背凭れ本体における図７のＳ−Ｓ断面図である。
【図６】背凭れを斜め右後方から見た斜視図である。
【図７】カバー部材を構成するベース部材を椅子の背凭れ本体に装着した状態を示す正面図である。
【図８】ベース部材を背凭れ本体に装着した状態を斜め左前方から見た斜視図である。
【図９】ベース部材における図７のＳ−Ｓ断面図である。
【図１０】ベース部材の後面図である。
【図１１】ベース部材に形成された上部係合爪が、背凭れ本体の長孔に係合された状態を、斜め後方から見た斜視図である。
【図１２】図１１のＸＩＩ−ＸＩＩ断面に対応する断面図である。
【図１３】ベース部材に形成された側部係合爪が、背凭れ本体の長孔に係合された状態を、斜め後方から見た斜視図である。
【図１４】側部係合爪周辺の説明図である。
【発明を実施するための形態】
【００２１】
以下、図面を参照して、本発明に係る背凭れ用カバー部材、椅子の一実施形態について説明する。なお、以下の図面において、各部材を認識可能な大きさとするために、各部材の縮尺を適宜変更している。また、以下の説明における前後上下左右の方向は、着座者から見た方向を示している。また、着座者における「前方」を図中矢印ＦＲで示し、前記着座者の「上方」を図中矢印ＵＰで示し、上記着座者の「左方」を図中矢印ＬＨで示す。
【００２２】
図１は、本実施形態の椅子１の正面図である。図２は、本実施形態の椅子１の側面図である。
図１、図２に示すように、本実施形態の椅子１は、支持構造体（脚部）２と、座部３と、ヒンジ４と、背凭れ６とを備えている。
【００２３】
支持構造体２は、左右一対の脚体２ａと、脚体２ａ同士を連結する前フレーム２ｂとを一体的に備えている。このような支持構造体２は、金属材料からなる管状の材料を成型することによって形成されている。
【００２４】
脚体２ａは、前方に配設された前脚２ａ１と、後方に配設された後脚２ａ２と、前脚２ａ１と後脚２ａ２とを連結する上部連結杆２ａ３と、キャスタ２ａ４とを備えている。前脚２ａ１は、上端が下端よりも椅子１の内側に配置されるように僅かに傾斜して上下方向に延設されており、上端が前フレーム２ｂに一体的に接続されている。後脚２ａ２は、前脚２ａ１の後方かつ外側に配置されており、上端が下端よりも椅子１の内側に配置されるように僅かに傾斜して上下方向に延設されている。この後脚２ａ２の上端部は、上部連結杆２ａ３よりも上方に突出されている。上部連結杆２ａ３は、座部３の下方にて前脚２ａ１と後脚２ａ２とを接続するように前後方向に延設されている。このような上部連結杆２ａ３は、例えば溶接やロウ付けによって前脚２ａ１及び後脚２ａ２と一体的に接続されている。キャスタ２ａ４は、前脚２ａ１の下端と後脚２ａ２の下端との各々に設けられており、本実施形態においては図１に示すように合計で４つ設けられている。これらのキャスタ２ａ４は、椅子１の全体を前後左右に移動可能とする。
【００２５】
前フレーム２ｂは、左右一対の脚体２ａが備える前脚２ａ１の上端同士を連結するように水平に延設されており、両端が下方に湾曲して前脚２ａ１と接続されている。この前フレーム２ｂは、例えば溶接やロウ付けによって前脚２ａ１と一体的に接続されている。この前フレーム２ｂは、ヒンジ４を中心として回動可能とされた座部３のストッパとして機能すると共に、座部３を下方から支持する。
【００２６】
座部３は、利用者を下方から支持する部位であり、後端側部の各々にヒンジ４が連結されている。このような座部３は、ヒンジ４により、後端を中心として前端が上下動するように回動可能に支持されている。ヒンジ４は、左右一対の脚体２ａの後脚２ａ２に対して各々設けられており、座部３を左右方向挟むように合計で２つ設けられている。これらのヒンジ４は、上述のように座部３を回動可能に支持する。
【００２７】
背凭れ６は、左右一対の脚体２ａの各後脚２ａ２の上端部によって支持されており、利用者を後方から支持する。
【００２８】
図３は、背凭れ６の一部を分解した状態における本実施形態の椅子１の正面図である。図４は、背凭れ６の左右方向中心からずれた位置における側断面図である。図５は、背凭れ本体の左右方向中心からずれた位置における側断面図である。
図３、図４に示すように、本実施形態の椅子１において、背凭れ６は、背凭れ本体７と、カバー部材（背凭れ用カバー部材）８とを備えている。
【００２９】
背凭れ本体７は、利用者の背中に沿うように湾曲した板状の部材である。この背凭れ本体７は、利用者を後方から支え、利用者からの荷重を受けることが可能な剛性を有する樹脂等によって形成されている。
【００３０】
図５に示すように、背凭れ本体７は、平断面視すると、左右両側縁部７ｓに対して中央部７ｃが後方に向けて膨出するように形成されている。
また、背凭れ本体７の左右方向の中央部を側断面視すると、背凭れ本体７の上縁部７ｄと下縁部７ｅとの間には、下方から上方に向かって後方に一定の傾斜角度θ１で傾斜した背凭れ面（前面）７ｆと、背凭れ面７ｆの上部に連続して形成され、後方に向かって湾曲した上部湾曲面７ｇと、背凭れ面７ｆの下方に形成され、背凭れ面７ｆよりも後方への傾斜角度θ２が小さい下部平面部７ｈと、背凭れ面７ｆと下部平面部７ｈとの間に形成され、前方に膨出した膨出部７ｊと、を有している。膨出部７ｊは、背凭れ面７ｆの下部と下部平面部７ｈとの間で、前方に向かって膨出するよう湾曲形成されている。
【００３１】
ここで、膨出部７ｊにおいて、背凭れ面７ｆに沿い上下方向に延びる接線Ｓ１と、下部平面部７ｈに沿い上下方向に延びる接線Ｓ２とが交差する位置を交点Ｋとする。この交点Ｋから膨出部７ｊの表面に向かって延びる直交線Ｓ３が膨出部７ｊと交差する位置を、膨出部７ｊの突出位置Ｐとする。この膨出部７ｊおよび突出位置Ｐは、背凭れ本体７の上縁部７ｄと下縁部７ｅとの中間部よりも下方であって、下縁部７ｅから所定寸法上方の位置に形成されている。
【００３２】
図６は、背凭れ６を斜め右後方から見た斜視図である。
図１、図６に示すように、背凭れ本体７の左右両端部には、下方から後脚２ａ２の先端部を挿入可能な差込部７ａが設けられている。背凭れ本体７は、これらの差込部７ａに後脚２ａ２の先端部が差し込まれることによって、支持構造体２に固定されている。
【００３３】
また、図３、図６に示すように、背凭れ本体７には、直線状あるいは湾曲状の長孔７ｂ（貫通孔）が多数形成されている。背凭れ本体７の上縁部７ｄには、相対的に長さが長い長孔７ｂ１と、相対的に長さが短い長孔７ｂ２とが左右方向に交互に配列されている。
【００３４】
また、背凭れ本体７の下縁部７ｅには、後方に向かって膨出し、下縁部７ｅを覆うフード部９が一体に形成されている。
【００３５】
図２に示すように、カバー部材８は、背凭れ本体７と対向するよう配置される板状のベース部材８０と、ベース部材８０の前面側に配置されるクッション材（図示無し）と、クッション材（図示無し）を覆うと共に縁部がベース部材８０に固定されるカバー（表皮材）８２とが積層されて形成されている。
【００３６】
図７は、カバー部材８を構成するベース部材８０を椅子１の背凭れ本体７に装着した状態を示す正面図である。図８は、ベース部材８０を背凭れ本体７に装着した状態を斜め左前方から見た斜視図である。図９は、ベース部材８０の左右方向中心からずれた位置における側断面図である。図１０は、ベース部材８０の後面図である。
図７、図８に示すように、ベース部材８０は、背凭れ本体７の前面において左右両端部の差込部７ａを除いた領域を覆うように形成されている。ベース部材８０は、その外縁部を形成する周枠部８３と、周枠部８３の内方に形成された舌片部８４と、舌片部８４の下端部８４ａと周枠部８３の下辺部８３ｂの左右方向中央部とを連結する連結部８５と、を備えている。ベース部材８０は、例えば樹脂成型により一体形成されている。
【００３７】
周枠部８３は、左右に延びる上辺部８３ａおよび下辺部８３ｂと、上辺部８３ａおよび下辺部８３ｂの左右それぞれの端部間において上下に延びる側辺部８３ｃ，８３ｄと、を有する。
【００３８】
舌片部８４は、周枠部８３の上辺部８３ａから下辺部８３ｂ側に向けて延出するよう形成されている。舌片部８４の下端部８４ａおよび左右両側の側端部８４ｂ，８４ｃは、周枠部８３の下辺部８３ｂおよび側辺部８３ｃ，８３ｄに対して所定の間隔を空けた位置に形成されている。これにより、周枠部８３の下辺部８３ｂおよび側辺部８３ｃ，８３ｄと、舌片部８４の下端部８４ａおよび側端部８４ｂ，８４ｃとの間には、略Ｕ字状をなした開口部８６，８６が形成されている。なお、連結部８５を無くして一つに繋がった開口部８６としてもよい。
【００３９】
舌片部８４は、その下端部８４ａが、背凭れ本体７の膨出部７ｊの突出位置Ｐと同位置またはそれよりも下方に位置するよう形成されている。そして、図４に示すように、周枠部８３の上辺部８３ａ、および上辺部８３ａから下方に延びる舌片部８４は、背凭れ本体７の上部湾曲面７ｇ、背凭れ面７ｆ、膨出部７ｊに沿うように形成されている。
【００４０】
また、図７、図８に示すように、舌片部８４は、全体として、周枠部８３の上辺部８３ａ側の基端部８４ｄに対して下端部８４ａの左右方向の幅寸法が小さくなるよう形成されている。舌片部８４の基端部８４ｄは、周枠部８３の上辺部８３ａの左右方向両端部から延出している。
舌片部８４の側端部８４ｂ，８４ｃには、基端部８４ｄから所定寸法下方の位置に、左右方向内方に向かってくぼむように湾曲した凹部８４ｓが形成されている。さらに、舌片部８４の側端部８４ｂ，８４ｃには、凹部８４ｓの下方に、左右方向外方に向かって膨出した凸部８４ｔが形成されている。そして、舌片部８４は、凸部８４ｔから下端部８４ａに向かって、左右方向の幅寸法が漸次小さくなるよう湾曲形成されている。
これにより、舌片部８４は、左右の凹部８４ｓ，８４ｓの部分が、その上方の基端部８４ｄ、および下方の凸部８４ｔ，８４ｔの部分よりも、左右方向の幅が狭い狭幅部８４Ｎとされている。また、舌片部８４は、狭幅部８４Ｎの下方で左右の凸部８４ｔ，８４ｔの部分が、狭幅部８４Ｎよりも左右方向の幅が広い広幅部８４Ｍとされている。
【００４１】
図９、図１０に示すように、ベース部材８０の背面８０ｂにおいて、舌片部８４の基端部８４ｄには、左右方向に延びる段部８７が形成されている。ベース部材８０において、段部８７の上方に対して段部８７の下方の部分は、その板厚が小さくなるよう形成されている。すなわち、舌片部８４は、周枠部８３の上辺部８３ａよりも板厚が小さく形成されている。
【００４２】
さらに、舌片部８４には、段部８７の下方に、左右方向に延びる複数のスリット８８が、左右方向に間隔をあけて形成されている。
【００４３】
このような舌片部８４は、周枠部８３に一体に固定された基端部８４ｄに対し、下端部８４ａ側が自由端となって弾性変形可能となっている。
このとき、舌片部８４は、段部８７の下方で板厚が小さく、さらにスリット８８および狭幅部８４Ｎが形成されることで、舌片部８４は、基端部８４ｄ側を固定端とし、下端部８４ａ側を自由端として弾性変形しやすくなっている。
【００４４】
周枠部８３の上辺部８３ａには、左右方向両側に、周枠部８３の上縁８３ｓから下方に向かって延びる複数の切り欠き９０が形成されている。これらの切り欠き９０により、周枠部８３は、背凭れ本体７の上縁部７ｄの平断面形状に倣って弾性変形しやすくなっている。
【００４５】
また、周枠部８３の側辺部８３ｃ，８３ｄには、左右方向内方に向かって張り出す側部プレート部８３ｅ，８３ｆが形成されている。
【００４６】
ベース部材８０の背面側には、上部係合爪９１と、側部係合爪９２と、下部係合フック９３と、が一体に形成されている。
【００４７】
図１１は、ベース部材８０に形成された上部係合爪９１が、背凭れ本体７の長孔７ｂ２に係合された状態を、斜め後方から見た斜視図である。図１２は、図１１のＸＩＩ−ＸＩＩ断面に対応する断面図である。
上部係合爪９１は、周枠部８３の上辺部８３ａに、左右方向に間隔をあけて複数形成されている。各上部係合爪９１は、周枠部８３の上辺部８３ａから後方に突出して形成されている。図６に示すように、上部係合爪９１は、背凭れ本体７の上縁部７ｄに形成された複数の長孔７ｂのうち、相対的に長さが短い長孔７ｂ２に係合される。
【００４８】
図１１に示すように、上部係合爪９１は、上下方向の長さが、係合対象となる長孔７ｂ２の上下方向の長さに合わせて形成されている。また、上部係合爪９１は、先端部の周縁部に、上下方向および幅方向の寸法が漸次小さくなるテーパ面９１ｔが形成されている。また、上部係合爪９１の先端部の幅方向両側面には、側方に突出する係合突起９１ａが形成されている。上部係合爪９１は、係合突起９１ａ，９１ａが形成された部分における幅寸法が、係合対象となる長孔７ｂ２の幅寸法に対して僅かに大きくなるよう形成されている。係合突起９１ａは、テーパ面９１ｔに連続するように幅方向外側に突出しており、その係合突起９１ａの背面側（ベース部材８０側）には、図１２に示すように、係合面９１ｂが形成されている。係合面９１ｂは、係合突起９１ａの背面側において幅方向外側方から内側方に向けて円弧状に窪んで形成されている。なお、上部係合爪９１の上下方向の端部に、長孔７ｂ２の上下方向の端部に背凭れ本体７の背面側から係合するようなフック形状を設けてもよい。
【００４９】
このような上部係合爪９１は、背凭れ本体７の前面側から長孔７ｂ２に押し込むことで係合される。具体的には、上部係合爪９１が長孔７ｂ２に押し込まれると、係合突起９１ａ，９１ａが長孔７ｂ２の対向する両側壁を外側方に変形させながら、奥行方向奥側に進み、ベース部材８０の背面が背凭れ本体７の表面に当接したところで止まる。こうして、係合突起係合突起９１ａ，９１ａの進行が止まった状態において、係合突起９１ａの背面は長孔７ｂ２の背面と略同一位置となる状態か、あるいはやや突出した状態になる。これにより、係合突起９１ａは椅子を背面から視認した場合において目立たなくなり、外観体裁が良好となる。また、各係合突起９１ａの背面側の係合面９１ｂが長孔７ｂ２の開口縁の湾曲面７ｂ２１に当接することによって、係合突起９１ａの手前側への脱落が有効に防止される。これにより、係合突起９１ａ，９１ａは長孔７ｂ２の幅方向の範囲内に概ね収まった状態となり、外観体裁が良好となる。
【００５０】
図１２は、ベース部材８０に形成された側部係合爪９２が、背凭れ本体７の長孔７ｂ３に係合された状態を、斜め後方から見た斜視図である。
図９、図１０に示すように、側部係合爪９２は、周枠部８３の側辺部８３ｃ，８３ｄからそれぞれ延出した側部プレート部８３ｅ，８３ｆに、上下方向に間隔をあけて複数形成されている。各側部係合爪９２は、側部プレート部８３ｅ，８３ｆから後方に突出して形成されている。図６に示すように、側部係合爪９２は、背凭れ本体７の左右両側縁部７ｓに形成された長孔７ｂ３に係合される。
【００５１】
図１２に示すように、側部係合爪９２は、上下方向の長さが、係合対象となる長孔７ｂ３の長手方向の寸法に合わせて形成されている。また、側部係合爪９２は、幅方向一方の側面９２ａに形成され、側方に突出する凸部（係合突起、爪）９２ｓと、幅方向他方の側面９２ｂ側に形成され、側面９２ａ側に向かって凹となる凹部９２ｔと、を備える。側部係合爪９２は、側面９２ｂと凸部９２ｓの先端との間隔が、長孔７ｂ３の幅寸法に対して略同寸または僅かに大きくなるよう形成されている。
【００５２】
このような側部係合爪９２は、背凭れ本体７の前面側から長孔７ｂ３に押し込むことで係合される。ここで、長孔７ｂ３は、背凭れ本体７の左右方向中央部に向かって張り出すように湾曲している。側部係合爪９２は、凹部９２ｔ側が形成された側面９２ｂ側が、長孔７ｂ３の湾曲方向外方に向くよう配置される。これにより、側部係合爪９２は、凹部９２ｔの両側で、湾曲した長孔７ｂ３の湾曲方向に沿って容易に弾性変形する。
このように、長孔７ｂ３に側部係合爪９２が係合することで、ベース部材８０の両側端部が、背凭れ本体７に対し、上下方向および左右方向への移動が拘束された状態で係合される。
【００５３】
ここで、側部係合爪９２周辺の作用についてさらに説明する。まず、側辺部８３ｃ，８３ｄを背凭れ本体７に対向させて側部係合爪９２を長孔７ｂ３に押し込むと、凸部９２ｓが凹部９２ｔの方向へ撓む。このとき、長孔７ｂ３は、背凭れ本体７の幅方向内側方に凸をなすように湾曲しているので、湾曲内側（幅方向外側）の辺の長さは、湾曲外側（幅方向内側）の辺の長さよりも僅かに小である。このため、側部係合爪９２を長孔７ｂ３に押し込むと、側部係合爪９２における凹部９２ｔ上下の上腕部９２ｃ及び下腕部９２ｄが、側部係合爪９２及び長孔７ｂ３の形状及び寸法によって以下のように弾性変形する。
【００５４】
例えば、背凭れ本体７の背凭れ面７ｆとの直交方向に沿う長孔７ｂ３の内周面に対し、側部係合爪９２の側面が先端側ほど背凭れ本体７の幅方向外側に位置するように傾いている場合（図１３参照）、側部係合爪９２を長孔７ｂ３に押し込むと、背凭れ本体７の幅方向外側に位置する上腕部９２ｃは、幅方向内側に強く押され、もって側部係合爪９２全体が捩じれるように弾性変形する。この弾性変形の復元力により、側部係合爪９２が長孔７ｂ３により強く係止される。
また、例えば、側部係合爪９２の上下方向の長さが長孔７ｂ３の上下方向の長さよりも大である場合、上下腕部９２ｃ，９２ｄが凹部９２ｔ側に倒れるように弾性変形する。この弾性変形の復元力によっても、側部係止爪９２が長孔７ｂ３により強く係止される。
【００５５】
側部係合爪９２において、凸部９２ｓの反対側は凹部９２ｔで肉が無いため、凸部９２ｓが長孔７ｂ３から抜け出ようとする動作に対する反力を別個所で発生させる必要がある。上記した側部係合爪９２の弾性変形により蓄積された初期状態への復元力は、前記反力になり得る。
側部係合爪９２は、着座者からの荷重によるベース部材８０の撓みの中心となる背凭れ６の幅方向中央部から大きく離間しているので、長孔７ｂ３から外れようとするモーメントが強く作用する。しかし、前記反力を発生させることにより、側部係合爪９２の長孔７ｂ３に対する係合強度を増強することができる。また、このことによって、凸部９２Ｓの幅方向の突出量を大きくして、係合しろを大きくすることなく、側部係合爪９１の長孔７ｂ３に対する係合強度を確保できるので、外観体裁にも優れる。
【００５６】
このように、ベース部材８０の上辺部８３ａa、側辺部８３ｂにおいて、上部係合爪９１、および側部係合爪９２の、長孔９ｂ２および長孔７ｂ３への係合強度を高めているので、背面側からの抜け止め部材(例:文献１におけるクリップ１８等)によることなく、カバー部材８の背凭れ本体７に対する支持強度を増強することができる。
【００５７】
図１０に示すように、下部係合フック９３は、周枠部８３の下辺部８３ｂの左右方向両側にそれぞれ形成されている。各下部係合フック９３は、周枠部８３の下辺部８３ｂの下縁に沿って延設されている。下部係合フック９３は、周枠部８３の下辺部８３ｂの下縁から後方に向けて延びる後方延出部９３ａと、後方延出部９３ａの後端から上方に向かって延びる上方延出部９３ｂと、を一体に有した断面Ｌ字状をなしている。
【００５８】
図６に示すように、下部係合フック９３は、背凭れ本体７の下縁部７ｅに下方から係止される。下部係合フック９３の後方延出部９３ａが背凭れ本体７の下縁部７ｅに下方から突き当たることで、ベース部材８０の上方への移動が規制される。また、下部係合フック９３の上方延出部９３ｂが背凭れ本体７の下縁部７ｅの背面側に突き当たることで、ベース部材８０の前方への移動が規制される。ここで、下部係合フック９３の上方延出部９３ｂの後方は、フード部９に覆われるため、後方から見たときに、下部係合フック９３が露出しないようになっている。
【００５９】
また、図１０に示すように、ベース部材８０の周枠部８３には、クッション材（図示無し）およびカバー８２を装着するためのフック９５が、周方向に間隔をあけて複数設けられている。各フック９５は、周枠部８３から、後方、およびベース部材８０の中心に対して外方に向かって突出するよう形成されている。
カバー８２の外周部には、紐状の係止索（図示無し）が挿通されている。カバー８２は、クッション材（図示無し）をベース部材８０の前面に沿わせて配置した状態で、クッション材（図示無し）およびベース部材８０を、前方から覆うように被せて設けられる。そして、カバー８２は、ベース部材の後面側において、係止索（図示無し）を複数のフック９５に掛止させ、係止索（図示無し）によってカバー８２の外周部を巾着状に引き絞ることによって、ベース部材８０に装着される。
【００６０】
上記したようなカバー部材８を背凭れ本体７に装着するには、まず、ベース部材８０の下部係合フック９３，９３を、下方から背凭れ本体７の下縁部７ｅに係止させる。続いて、ベース部材８０を背凭れ本体７の前面に押し付け、上部係合爪９１、側部係合爪９２のそれぞれを、長孔７ｂ２，７ｂ３に押し込んで係合させる。これにより、カバー部材８を、背凭れ本体７に対し、容易に取り付けることができるようになっている。
【００６１】
上述したようなカバー部材８および椅子１によれば、ベース部材８０に、周枠部８３の上辺部８３ａから下方に向かって延出する舌片部８４を備えることで、利用者が、カバー部材８を装着した椅子１に着座したときに、舌片部８４が利用者の背中に沿う。利用者が椅子１の背凭れ６に強く寄りかかったとしても、カバー部材８は、その上部を中心に利用者の背中に沿う。これに対し、舌片部８４の下端部８４ａは、背凭れ本体７の中間部よりも下方に位置するので、利用者は、舌片部８４の下端部８４ａによる段差を感じにくい。
また、利用者が背凭れ６に寄りかかれば、片持ち梁状の舌片部８４が弾性変形して背凭れ本体７に沿うので、カバー部材８を、背凭れ本体７の背凭れ面７ｆに沿うように高精度に形成する必要もない。
したがって、カバー部材８および椅子１は、着座時の違和感を低減することが可能となる。カバー部材８を、低コストで製作することが可能となる。
【００６２】
また、着座者の荷重が加わる前の装着状態で、カバー部材８が背凭れ本体７から浮き上がることを抑えることでも、低コスト化に寄与することができる。
【００６３】
また、舌片部８４の下端部８４ａを、背凭れ本体７の膨出部７ｊと同じ高さまたはそれよりも下方に配置することで、利用者は、舌片部８４の下端部８４ａによる段差を、より確実に感じにくくなる。
【００６４】
さらに、舌片部８４の下端部８４ａと、周枠部８３の下辺部８３ｂとを連結する連結部８５が設けられているので、舌片部８４が周枠部８３から前方に浮き上がるのを抑え、舌片部８４の外周縁部の段差を小さくすることができる。
【００６５】
また、舌片部８４は、周枠部８３の上辺部８３ａの幅方向両側から下方に向かって延出している。このように構成することで、舌片部８４において、周枠部８３の上辺部８３ａに連結された基端部８４ｄの幅が大きくなる。これにより、利用者が寄りかかったときに、舌片部８４の基端部８４ｄ側において、舌片部８４の両側端部８４ｂ，８４ｃの段差を感じにくくなる。
【００６６】
また、舌片部８４は、周枠部８３の上辺部８３ａ側の基端部８４ｄと下端部８４ａとの間に、幅方向寸法が小さい狭幅部８４Ｎを有している。このように構成することで、利用者が寄りかかったときに、舌片部８４は、この狭幅部８４Ｎの部分で変形しやすくなる。したがって、舌片部８４が利用者の背中に沿って変形しやすくなる。これによっても、利用者は、舌片部８４による段差を感じにくくなる。
【００６７】
加えて、舌片部８４は、周枠部８３の上辺部８３ａよりも板厚が小さいので、舌片部８４は、周枠部８３に対して柔軟になり、舌片部８４が利用者の背中に沿って変形しやすくなる。
また、舌片部８４は、周枠部８３の上辺部８３ａと下端部８４ａとの間に、幅方向に延びるスリット８８が形成されている。これにより、舌片部８４は、このスリット８８の部分で変形しやすくなる。したがって、舌片部８４が利用者の背中に沿って変形しやすくなる。
これらによっても、利用者は、舌片部８４による段差を感じにくくなる。
【００６８】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６９】
例えば、上部係合爪９１，側部係合爪９２，下部係合フック９３について説明した。しかしながら、本発明はこれに限定されるものではなく、ベース部材８０を背凭れ本体７に確実に装着できるのであれば、ベース部材８０を背凭れ本体７にいかなる構成で支持するようにしてもよい。また、前述の如く連結部８５を無くした構成としてもよい。
カバー８２のベース部材８０への装着は、単品状態のベース部材８０を被覆する工程に限らず、例えばベース部材８０を背凭れ本体７に取り付けた状態でこのベース部材８０を被覆する工程でもよい。
【００７０】
また、上記実施形態で示した椅子１の全体構成については、他のいかなる構成のものであってもよい。
【符号の説明】
【００７１】
１  椅子
２  支持構造体（脚部）
３  座部
６  背凭れ
７  背凭れ本体
７ｄ  上縁部
７ｅ  下縁部
７ｂ  長孔
７ｆ  背凭れ面（前面）
７ｊ  膨出部
８  カバー部材（背凭れ用カバー部材）
８０  ベース部材
８２  カバー（表皮材）
８３  周枠部
８３ａ  上辺部
８３ｂ  下辺部
８４  舌片部
８４ａ  下端部
８４ｄ  基端部
８４Ｎ  狭幅部
８４Ｍ  広幅部
８５  連結部
８８  スリット
９１  上部係合爪
９２  側部係合爪
９３  下部係合フック
【図１】
0006461624.tif 000002
【図２】
0006461624.tif 000003
【図３】
0006461624.tif 000004
【図４】
0006461624.tif 000005
【図５】
0006461624.tif 000006
【図６】
0006461624.tif 000007
【図７】
0006461624.tif 000008
【図８】
0006461624.tif 000009
【図９】
0006461624.tif 000010
【図１０】
0006461624.tif 000011
【図１１】
0006461624.tif 000012
【図１２】
0006461624.tif 000013
【図１３】
0006461624.tif 000014
【図１４】
0006461624.tif 000015